(57)【特許請求の範囲】
【請求項１】
放送情報によって提供される複数の放送サービスを受信する放送サービス受信部と、
情報を送信する情報送信部とを有し、
該放送サービス受信部は、該複数の放送サービスのうち暗号化された情報を含まない汎用放送サービスの受信において汎用的に利用される汎用サービス受信制御部と、
該複数の放送サービスのうち暗号化された情報を含む個別の放送サービスの受信において利用される個別サービス受信制御部とを有し、
該汎用サービス受信制御部は、受信された該汎用放送サービスに含まれる画像信号に対して画像処理、圧縮解凍処理、およびデコード処理を実行して、画像信号を出力する汎用画像処理を実行し、
該個別サービス受信制御部は、受信された該個別の放送サービスに応じて、受信された該個別の放送サービスに含まれる画像信号に対して画像処理、圧縮解凍処理、およびデコード処理を実行するとともに、該個別の放送サービスに含まれる暗号化された情報を解読し、解読された情報を含む画像信号を出力する個別画像処理を実行し、
該汎用サービス受信制御部は、該汎用画像処理を実行するためのコンピュータ・プログラムである汎用サービス受信制御部制御用コンピュータ・プログラムを有し、
該個別サービス受信制御部は、受信された該個別の放送サービスに応じた該個別画像処理を実行するためのコンピュータ・プログラムである個別サービス受信制御部制御用コンピュータ・プログラムを有し、
該情報送信部は、該汎用サービス受信制御部制御用コンピュータ・プログラムが利用されたときは、該汎用サービス受信制御部の利用状況に基づく課金に関わる情報を送信し、該個別サービス受信制御部制御用コンピュータ・プログラムが利用されたときは、該個別サービス受信制御部の利用状況に基づく課金に関わる情報を送信することを特徴とする放送情報受信装置。
【請求項２】
前記汎用サービス受信制御部の利用状況に基づく課金に関わる情報は、前記汎用サービス受信制御部制御用コンピュータ・プログラムの利用状況に基づく課金に関わる情報であり、
前記個別サービス受信制御部の利用状況に基づく課金に関わる情報は、前記個別サービス受信制御部制御用コンピュータ・プログラムの利用状況に基づく課金に関わる情報であることを特徴とする、請求項１記載の放送情報受信装置。
【請求項３】
前記汎用サービス受信制御部制御用コンピュータ・プログラムと前記個別サービス受信制御部制御用コンピュータ・プログラムとを放送情報から受信する制御用コンピュータ・プログラム受信部と、
該制御用コンピュータ・プログラム受信部が該汎用サービス受信制御部制御用コンピュータ・プログラムを受信すると、受信前の汎用サービス受信制御部制御用コンピュータ・プログラムの内容を、受信した汎用サービス受信制御部制御用コンピュータ・プログラムの内容に更新し、該制御用コンピュータ・プログラム受信部が該個別サービス受信制御部制御用コンピュータ・プログラムを受信すると、受信前の個別サービス受信制御部制御用コンピュータ・プログラムの内容を、受信した個別サービス受信制御部制御用コンピュータ・プログラムの内容に更新する制御用コンピュータ・プログラム更新制御部とをさらに有することを特徴とする、請求項１または２に記載の放送情報受信装置。
【請求項４】
前記汎用サービス受信制御部制御用コンピュータ・プログラムの利用状況に基づく課金に関わる情報は、前記汎用サービス受信制御部用コンピュータ・プログラムの利用に応じて課金される料金に関する情報を含み、
前記個別サービス受信制御部制御用コンピュータ・プログラムの利用状況に基づく課金に関わる情報は、前記個別サービス受信制御部制御用コンピュータ・プログラムの利用に応じて課金される料金に関する情報を含むことを特徴とする、請求項３に記載の放送情報受信装置。
【請求項５】
前記汎用サービス受信制御部制御用コンピュータ・プログラムの利用状況に基づく課金に関わる情報は、前記汎用サービス受信制御部制御用コンピュータ・プログラムの利用に応じて課金される料金の金額とその支払方法とに関する情報を含み、
前記個別サービス受信制御部制御用コンピュータ・プログラムの利用に応じて課金される料金に関する情報は、前記個別サービス受信制御部制御用コンピュータ・プログラムの利用に応じて課金される料金の金額とその支払方法とに関する情報を含むことを特徴とする、請求項３記載の放送情報受信装置。
【請求項６】
請求項１に記載の受信装置を用いた受信方法であって、
放送情報によって提供される複数の放送サービスを受信する第１ステップと、
前記汎用サービス受信制御部制御用コンピュータ・プログラムが利用されたときは、該汎用サービス受信制御部の利用状況に基づく課金に関わる情報を送信し、前記個別サービス受信制御部制御用コンピュータ・プログラムが利用されたときは、該個別サービス受信制御部の利用状況に基づく課金に関わる情報を送信する第２ステップとを包含することを特徴とする放送情報受信方法。
【請求項７】
前記汎用サービス受信制御部の利用状況に基づく課金に関わる情報は、前記汎用サービス受信制御部制御用コンピュータ・プログラムの利用状況に基づく課金に関わる情報を含み、
前記個別サービス受信制御部の利用状況に基づく課金に関わる情報は、前記個別サービス受信制御部制御用コンピュータ・プログラムの利用状況に基づく課金に関わる情報を包含することを特徴とする、請求項６記載の放送情報受信方法。
【請求項８】
前記汎用サービス受信制御部制御用コンピュータ・プログラムと前記個別サービス受信制御部制御用コンピュータ・プログラムとを放送情報から受信するステップと、
前記制御用コンピュータ・プログラム受信部が該汎用サービス受信制御部制御用コンピュータ・プログラムを受信すると、受信前の汎用サービス受信制御部制御用コンピュータ・プログラムの内容を、受信した汎用サービス受信制御部制御用コンピュータ・プログラムの内容に更新し、該制御用コンピュータ・プログラム受信部が該個別サービス受信制御部制御用コンピュータ・プログラムを受信すると、該個別サービス受信制御部制御用コンピュータ・プログラムの内容を、受信した個別サービス受信制御部制御用コンピュータ・プログラムの内容に更新するステップとをさらに包含する、請求項７に記載の放送情報受信方法。
【請求項９】
前記汎用サービス受信制御部制御用コンピュータ・プログラムの利用状況に基づく課金に関わる情報は、前記汎用サービス受信制御部制御用コンピュータ・プログラムの利用に応じて課金される料金に関する情報を含み、
前記個別サービス受信制御部制御用コンピュータ・プログラムの利用に応じて課金される料金に関する情報は、前記個別サービス受信制御部制御用コンピュータ・プログラムの利用に応じて課金される料金に関する情報を包含する、請求項７に記載の放送情報受信方法。
【請求項１０】
前記汎用サービス受信制御部制御用コンピュータ・プログラムの利用状況に基づく課金に関わる情報は、前記汎用サービス受信制御部制御用コンピュータ・プログラムの利用に応じて課金される料金の金額とその支払方法とに関する情報を含み、
前記個別サービス受信制御部制御用コンピュータ・プログラムの利用状況に基づく課金に関わる情報は、前記個別サービス受信制御部制御用コンピュータ・プログラムの利用に応じて課金される料金の金額とその支払方法とに関する情報を包含することを特徴とする、請求項７記載の放送情報受信方法。
【発明の詳細な説明】
【０００１】
【発明の属する技術分野】
本発明は放送情報を受信する放送情報受信装置および放送情報受信方法に関する。
【０００２】
【従来の技術】
放送サービスを受信装置で利用する際には、放送サービスを利用することに対して料金が課金される。放送サービスの利用に対する課金は、個別の放送サービス事業者毎に行っている。
【０００３】
【発明が解決しようとする課題】
しかし、個別の放送サービス事業者毎に放送サービスの利用に対する課金を行うと、個別の放送サービス事業者毎に放送サービスの利用に対する課金を実行するシステムを構築する必要が生ずる。個別の放送サービス事業者毎にシステムを構築すると、システム全体が煩雑で複雑になる。
【０００４】
本発明の目的は、複数の放送サービス事業者が提供する放送サービスの利用に対する課金を容易に実行することができる放送情報受信装置および放送情報受信方法を提供することにある。
【０００５】
【課題を解決するための手段】
本発明に係る放送情報受信装置は、放送情報によって提供される複数の放送サービスを受信する放送サービス受信部と、情報を送信する情報送信部とを有し、該放送サービス受信部は、該複数の放送サービスのうち暗号化された情報を含まない汎用放送サービスの受信において汎用的に利用される汎用サービス受信制御部と、該複数の放送サービスのうち暗号化された情報を含む個別の放送サービスの受信において利用される個別サービス受信制御部とを有し、該汎用サービス受信制御部は、受信された該汎用放送サービスに含まれる画像信号に対して画像処理、圧縮解凍処理、およびデコード処理を実行して、画像信号を出力する汎用画像処理を実行し、該個別サービス受信制御部は、受信された該個別の放送サービスに応じて、受信された該個別の放送サービスに含まれる画像信号に対して画像処理、圧縮解凍処理、およびデコード処理を実行するとともに、該個別の放送サービスに含まれる暗号化された情報を解読し、解読された情報を含む画像信号を出力する個別画像処理を実行し、該汎用サービス受信制御部は、該汎用画像処理を実行するためのコンピュータ・プログラムである汎用サービス受信制御部制御用コンピュータ・プログラムを有し、該個別サービス受信制御部は、受信された該個別の放送サービスに応じた該個別画像処理を実行するためのコンピュータ・プログラムである個別サービス受信制御部制御用コンピュータ・プログラムを有し、該情報送信部は、該汎用サービス受信制御部制御用コンピュータ・プログラムが利用されたときは、該汎用サービス受信制御部の利用状況に基づく課金に関わる情報を送信し、該個別サービス受信制御部制御用コンピュータ・プログラムが利用されたときは、該個別サービス受信制御部の利用状況に基づく課金に関わる情報を送信することを特徴とし、そのことにより上記目的が達成される。
【０００７】
前記汎用サービス受信制御部の利用状況に基づく課金に関わる情報は、前記汎用サービス受信制御部制御用コンピュータ・プログラムの利用状況に基づく課金に関わる情報であり、前記個別サービス受信制御部の利用状況に基づく課金に関わる情報は、前記個別サービス受信制御部制御用コンピュータ・プログラムの利用状況に基づく課金に関わる情報であってもよい。
【０００８】
前記汎用サービス受信制御部制御用コンピュータ・プログラムと前記個別サービス受信制御部制御用コンピュータ・プログラムとを放送情報から受信する制御用コンピュータ・プログラム受信部と、該制御用コンピュータ・プログラム受信部が該汎用サービス受信制御部制御用コンピュータ・プログラムを受信すると、受信前の汎用サービス受信制御部制御用コンピュータ・プログラムの内容を、受信した汎用サービス受信制御部制御用コンピュータ・プログラムの内容に更新し、該制御用コンピュータ・プログラム受信部が該個別サービス受信制御部制御用コンピュータ・プログラムを受信すると、受信前の個別サービス受信制御部制御用コンピュータ・プログラムの内容を、受信した個別サービス受信制御部制御用コンピュータ・プログラムの内容に更新する制御用コンピュータ・プログラム更新制御部とをさらに有してもよい。
【０００９】
前記汎用サービス受信制御部制御用コンピュータ・プログラムの利用状況に基づく課金に関わる情報は、前記汎用サービス受信制御部用コンピュータ・プログラムの利用に応じて課金される料金に関する情報を含み、前記個別サービス受信制御部制御用コンピュータ・プログラムの利用状況に基づく課金に関わる情報は、前記個別サービス受信制御部制御用コンピュータ・プログラムの利用に応じて課金される料金に関する情報を含んでもよい。
【００１０】
前記汎用サービス受信制御部制御用コンピュータ・プログラムの利用状況に基づく課金に関わる情報は、前記汎用サービス受信制御部制御用コンピュータ・プログラムの利用に応じて課金される料金の金額とその支払方法とに関する情報を含み、前記個別サービス受信制御部制御用コンピュータ・プログラムの利用に応じて課金される料金に関する情報は、前記個別サービス受信制御部制御用コンピュータ・プログラムの利用に応じて課金される料金の金額とその支払方法とに関する情報を含んでもよい。
【００１１】
本発明に係る放送情報受信方法は、本発明に係る受信装置を用いた受信方法であって、放送情報によって提供される複数の放送サービスを受信する第１ステップと、前記汎用サービス受信制御部制御用コンピュータ・プログラムが利用されたときは、該汎用サービス受信制御部の利用状況に基づく課金に関わる情報を送信し、前記個別サービス受信制御部制御用コンピュータ・プログラムが利用されたときは、該個別サービス受信制御部の利用状況に基づく課金に関わる情報を送信する第２ステップとを包含し、そのことにより上記目的が達成される。
【００１３】
前記汎用サービス受信制御部の利用状況に基づく課金に関わる情報は、前記汎用サービス受信制御部制御用コンピュータ・プログラムの利用状況に基づく課金に関わる情報を含み、前記個別サービス受信制御部の利用状況に基づく課金に関わる情報は、前記個別サービス受信制御部制御用コンピュータ・プログラムの利用状況に基づく課金に関わる情報を包含してもよい。
【００１４】
前記汎用サービス受信制御部制御用コンピュータ・プログラムと前記個別サービス受信制御部制御用コンピュータ・プログラムとを放送情報から受信するステップと、前記制御用コンピュータ・プログラム受信部が該汎用サービス受信制御部制御用コンピュータ・プログラムを受信すると、受信前の汎用サービス受信制御部制御用コンピュータ・プログラムの内容を、受信した汎用サービス受信制御部制御用コンピュータ・プログラムの内容に更新し、該制御用コンピュータ・プログラム受信部が該個別サービス受信制御部制御用コンピュータ・プログラムを受信すると、該個別サービス受信制御部制御用コンピュータ・プログラムの内容を、受信した個別サービス受信制御部制御用コンピュータ・プログラムの内容に更新するステップとをさらに包含してもよい。
【００１５】
前記汎用サービス受信制御部制御用コンピュータ・プログラムの利用状況に基づく課金に関わる情報は、前記汎用サービス受信制御部用コンピュータ・プログラムの利用に応じて課金される料金に関する情報を含み、前記個別サービス受信制御部制御用コンピュータ・プログラムの利用に応じて課金される料金に関する情報は、前記個別サービス受信制御部制御用コンピュータ・プログラムの利用に応じて課金される料金に関する情報を包含してもよい。
【００１６】
前記汎用サービス受信制御部制御用コンピュータ・プログラムの利用状況に基づく課金に関わる情報は、前記汎用サービス受信制御部制御用コンピュータ・プログラムの利用に応じて課金される料金に関する情報を含み、前記個別サービス受信制御部制御用コンピュータ・プログラムの利用に応じて課金される料金に関する情報は、前記個別サービス受信制御部制御用コンピュータ・プログラムの利用に応じて課金される料金に関する情報を包含してもよい。
【００１７】
【発明の実施の形態】
図１は、実施の形態に係る受信装置１００のブロック図である。
【００１８】
受信装置１００は、放送サービス受信部１０１と制御用コンピュータプログラム受信部１０２と制御用コンピュータプログラム更新制御部１０３と表示部１０４と利用状況監視部１０５と情報送信部１０６とを備える。
【００１９】
放送サービス受信部１０１は、汎用サービス受信制御部１０７と個別サービス受信制御部１０８とを含む。汎用サービス受信制御部１０７は、汎用サービス受信部制御用コンピュータプログラム１０９を有する。個別サービス受信制御部１０８は、個別サービス受信部制御用コンピュータプログラム１１０を有する。
【００２０】
放送サービス受信部１０１は、放送情報によって提供される複数の放送サービスを受信する。複数の放送サービスは、汎用的に放送される汎用放送１２１と個別的に放送される個別放送１２２Ａとを含む。
【００２１】
汎用サービス受信制御部１０７は、汎用放送１２１を受信する。汎用サービス受信制御部１０７は、汎用コンピュータプログラム１０９により動作する。汎用サービス受信制御部１０７は、汎用放送１２１を受け取り、汎用放送１２１に含まれる画像信号に対して画像処理、圧縮解凍処理、デコード処理を実行し、画像信号を出力する。表示部１０４は、汎用サービス受信制御部１０７から出力された画像信号に基づいて画像を表示する。
【００２２】
個別サービス受信制御部１０８は、個別放送１２２を受信する。個別放送１２２Ａは、暗号化された情報を含む。
【００２３】
個別コンピュータプログラム１１０は、複数のプログラムを含む。図１に示す例では、プログラムＡが領域１１に格納され、プログラムＢが領域１１２に格納される例を示している。プログラムＡとプログラムＢとは識別用のＩＤを含む。
【００２４】
個別サービス受信制御部１０８が個別放送１２２Ａを受け取ると、個別サービス受信制御部１０８は、個別放送１２２Ａに対応する個別コンピュータプログラムＡにより動作する。個別サービス受信制御部１０８は、個別放送１２２Ａに含まれる画像信号に対して画像処理、圧縮解凍処理、デコード処理を実行する。
【００２５】
個別サービス受信制御部１０８はパスワード、スクランブルにより、個別放送１２２Ａに含まれる暗号化された情報を解読し、解読された情報を含む画像信号を出力する。表示部１０４は、個別サービス受信制御部１０８から出力された画像信号に基づいて画像を表示する。
【００２６】
個別サービス受信制御部１０８は、複数種類の個別放送を受信し得る。個別サービス受信制御部１０８が個別放送１２２Ｂを受け取ると、個別サービス受信制御部１０８は、個別放送１２２Ｂに対応する個別コンピュータプログラムＢにより動作する。個別サービス受信制御部１０８は、個別放送１２２Ｂに含まれる画像信号に対して画像処理、圧縮解凍処理、デコード処理を実行する。
【００２７】
個別サービス受信制御部１０８はパスワード、スクランブルにより、個別放送１２２Ｂに含まれる暗号化された情報を解読し、解読された情報を含む画像信号を出力する。表示部１０４は、個別サービス受信制御部１０８から出力された画像信号に基づいて画像を表示する。
【００２８】
制御用コンピュータプログラム受信部１０２が汎用コンピュータ・プログラム１０９Ａを受信すると、更新制御部１０３は汎用コンピュータ・プログラム１０９Ａにより、汎用コンピュータ・プログラム１０９を更新する。
【００２９】
制御用コンピュータプログラム受信部１０２が個別コンピュータ・プログラムＡ１を受信すると、更新制御部１０３は個別コンピュータ・プログラムＡ１により個別コンピュータ・プログラムＡを更新する。制御用コンピュータプログラム受信部１０２が個別コンピュータ・プログラムＢ１を受信すると、更新制御部１０３は個別コンピュータ・プログラムＢ１により個別コンピュータ・プログラムＢを更新する。
【００３０】
制御用コンピュータプログラム受信部１０２が個別コンピュータ・プログラムＣを受信すると、更新制御部１０３は個別コンピュータ・プログラムＣを領域１１３に格納する。
【００３１】
利用状況監視部１０５は、汎用コンピュータプログラム１０９および個別コンピュータプログラム１１０の利用状況を監視する。
【００３２】
図２は、実施の形態に係るコンピュータプログラムとその利用状況に応じて課金される料金との関係の説明図である。図３は、実施の形態に係る受信装置１００の汎用放送サービス受信動作のフローチャートである。図４は、実施の形態に係る受信装置の個別放送サービス受信動作のフローチャートである。
【００３３】
図２および図３を参照して、受信装置１００の汎用放送サービス受信動作を説明する。
【００３４】
汎用サービス受信制御部１０７が汎用放送１２１を受信したか否かが判断される（Ｓ３０１）。汎用サービス受信制御部１０７が汎用放送１２１を受信したと判断された場合には（Ｓ３０１でＹＥＳ）、汎用コンピュータ・プログラム１０９が利用されたか否かが判断される（Ｓ３０２）。
【００３５】
汎用コンピュータ・プログラム１０９が利用されたと判断された場合には（Ｓ３０２でＹＲＳ）、利用状況監視部１０５は汎用コンピュータ・プログラム１０９の利用料金を計算する（Ｓ３０３）。
【００３６】
利用料金は、例えば汎用コンピュータ・プログラム１０９の利用回数と利用時間とに基づいて決定される。利用状況監視部１０５は、汎用コンピュータプログラム１０９の利用回数と利用時間とに基づいて、汎用コンピュータ・プログラム１０９の利用料金を計算する。
【００３７】
図２に示す例では、汎用コンピュータプログラム１０９の利用回数が３０回であり、利用時間が１２５時間である。利用回数３０回と、利用時間１２５時間とに基づいて、所定の計算式により利用料金は例えば４０００円と算出される。
【００３８】
利用状況監視部１０５は、汎用コンピュータプログラム１０９の利用料金に関する情報および利用料金の支払い方法に関する情報を出力する（Ｓ３０４）。利用料金に関する情報は、利用回数、利用時間および利用料金を表す情報を含む。利用料金の支払い方法に関する情報は、例えば受信装置１００の使用者の銀行口座ＩＤである。利用料金の支払い方法に関する情報は、クレジットカードのＩＤであってもよく、現金による支払いを表す情報でもよい。
【００３９】
情報送信部１０６は、汎用コンピュータプログラム１０９の利用料金に関する情報および利用料金の支払い方法に関する情報を送信する（Ｓ３０５）。
【００４０】
汎用サービス受信制御部１０７が汎用放送１２１を受信していないと判断された場合には（Ｓ３０１でＮＯ）、汎用コンピュータ・プログラム１０９が利用されていないと判断された場合には（Ｓ３０２でＮＯ）、または情報送信部１０６は、汎用コンピュータプログラム１０９の利用料金に関する情報および利用料金の支払い方法に関する情報を送信した場合（Ｓ３０５）には、Ｓ３０１へ戻る。
【００４１】
図２および図４を参照して、受信装置１００の汎用放送サービス受信動作を説明する。
【００４２】
汎用サービス受信制御部１０７が個別放送１２２Ａを受信したか否かが判断される（Ｓ４０１）。汎用サービス受信制御部１０７が個別放送１２２Ａを受信したと判断された場合には（Ｓ４０１でＹＥＳ）、個別コンピュータ・プログラム１１０のいずれか（図１の例では、個別コンピュータ・プログラムＡまたは個別コンピュータ・プログラムＢ）が利用されたか否かが判断される（Ｓ４０２）。
【００４３】
個別コンピュータ・プログラム１１０のいずれか利用されたと判断された場合には（Ｓ４０２でＹＲＳ）、利用状況監視部１０５は個別コンピュータ・プログラム１１０の利用料金を計算する（Ｓ４０３）。
【００４４】
利用料金は、例えば個別コンピュータ・プログラム１１０の利用回数と利用時間とに基づいて決定される。利用状況監視部１０５は、個別コンピュータプログラム１１０の利用回数と利用時間とに基づいて、個別コンピュータ・プログラム１１０の利用料金を計算する。
【００４５】
図２に示す例では、個別コンピュータプログラムＡの利用回数が３回であり、利用時間が１。５時間である。利用回数３回と、利用時間１．５時間とに基づいて、所定の計算式により利用料金は例えば１５００円と算出される。個別コンピュータプログラムＢの利用回数７回と利用時間１５時間とに基づいて、所定の計算式により利用料金は例えば４５、０００円と算出される。個別コンピュータプログラムＣの利用回数０回と利用時間０時間とに基づいて、所定の計算式により利用料金は例えば０円と算出される。個別コンピュータプログラムＤの利用回数１回と利用時間３時間とに基づいて、所定の計算式により利用料金は例えば１、２００円と算出される。個別コンピュータプログラムＥの利用回数５回と利用時間２時間とに基づいて、所定の計算式により利用料金は例えば８００円と算出される。
【００４６】
利用状況監視部１０５は、個別コンピュータプログラム１１０の利用料金に関する情報および利用料金の支払い方法に関する情報を出力する（Ｓ４０４）。利用料金に関する情報は、利用回数、利用時間および利用料金を表す情報を含む。利用料金の支払い方法に関する情報は、例えば受信装置１００の使用者の銀行口座ＩＤである。利用料金の支払い方法に関する情報は、クレジットカードのＩＤであってもよく、現金による支払いを表す情報でもよい。
【００４７】
情報送信部１０６は、個別コンピュータプログラム１１０の利用料金に関する情報および利用料金の支払い方法に関する情報を送信する（Ｓ４０５）。
【００４８】
個別サービス受信制御部１０８が個別放送１２１Ａを受信していないと判断された場合には（Ｓ４０１でＮＯ）、個別コンピュータ・プログラム１１０が利用されていないと判断された場合には（Ｓ４０２でＮＯ）、または情報送信部１０６が個別コンピュータプログラム１１０の利用料金に関する情報および利用料金の支払い方法に関する情報を送信した場合（Ｓ３４５）には、Ｓ４０１へ戻る。
【００４９】
以上のように本実施の形態によれば、汎用コンピュータ・プログラム１０９と個別コンピュータプログラム１１０との利用に対する課金を容易に実行することができる受信装置１００を提供することができる。
【００５０】
図５は、実施の形態に係る受信装置を含む放送システムのブロック図である。
【００５１】
放送システムは、放送装置２００と複数の受信装置１００と課金管理装置３００とセンター装置４００とを含む。放送装置２００は、放送情報と制御用コンピュータプログラムとを受信装置１００に送信する。放送情報は、汎用放送と個別放送とを含む。制御用コンピュータプログラムは、汎用コンピュータプログラムと個別コンピュータプログラムとを含む。
【００５２】
受信装置１００は、放送情報と制御用コンピュータプログラムとを受信する。受信装置１００は、汎用コンピュータプログラムと個別コンピュータプログラムとの利用料金に関する情報および利用料金の支払い方法に関する情報を課金管理装置３００へ送信する。
【００５３】
課金管理装置３００は、汎用コンピュータプログラムと個別コンピュータプログラムとの利用料金に関する情報および利用料金の支払い方法に関する情報をセンター装置４００へ送信する。
【００５４】
センター装置４００は、汎用コンピュータプログラムと個別コンピュータプログラムとの利用料金に関する情報および利用料金の支払い方法に関する情報を放送装置２００へ送信する。
【００５５】
以上のように本実施の形態によれば、放送情報と放送情報を受信装置の表示するための制御用コンピュータプログラムとを受信装置に無料で配布し、制御用コンピュータプログラムの利用状況に基づいて受信装置の使用者に課金することができる放送システムを提供することができる。
【００５６】
【発明の効果】
以上のように本発明によれば、複数の放送サービス事業者が提供する放送サービスの利用に対する課金を容易に実行することができる放送情報受信装置および放送情報受信方法を提供することができる。
【図面の簡単な説明】
【図１】実施の形態に係る受信装置のブロック図。
【図２】実施の形態に係るコンピュータプログラムとその利用に応じて課金される料金との関係の説明図。
【図３】実施の形態に係る受信装置の汎用放送サービス受信動作のフローチャート。
【図４】実施の形態に係る受信装置の個別放送サービス受信動作のフローチャート。
【図５】実施の形態に係る受信装置を含む放送システムのブロック図。
【符号の説明】
１００  受信装置
１０１  放送サービス受信部
１０２  制御用コンピュータプログラム受信部
１０３  制御用コンピュータプログラム更新制御部
１０４  表示部
１０５  利用状況監視部
１０６  情報送信部
１０７  汎用サービス受信制御部
１０８  個別サービス受信制御部
１０９  汎用コンピュータプログラム
１１０  個別コンピュータプログラム
２００  放送装置
３００  課金管理装置
４００  センター装置
【図１】
0004485639.tif 000002
【図２】
0004485639.tif 000003
【図３】
0004485639.tif 000004
【図４】
0004485639.tif 000005
【図５】
0004485639.tif 000006